(57)【要約】【課題】撮影した画像に付加する情報を効率よく取得すること。【解決手段】撮像装置１は、撮像制御部５２と、第１通信部２０−１と、通信制御部５３と、を備える。撮像制御部５２は、撮像部１６−１により撮像される画像を取得して、撮影画像を生成する。第１通信部２０−１は、外部装置である携帯端末２のセンサによって取得される情報であって、撮像制御部５２により生成される撮影画像に付加するための付加情報を取得するように、指示情報を当該外部装置である携帯端末２に送信する。通信制御部５３は、撮影指示を契機として、撮像制御部５２に撮影画像を生成させるとともに、第１通信部２０−１に撮影指示時点における付加情報を取得するように、指示情報を外部装置である携帯端末２に送信させる制御を行う。【選択図】図４
2017005679.tif 000002
【特許請求の範囲】
【請求項１】
撮像手段により撮像される画像を取得して、撮影画像を生成する撮影手段と、
前記撮影手段により生成される前記撮影画像を情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に撮影画像生成時における前記付加情報を取得するように、前記指示情報を前記情報取得装置に送信させる制御を行う制御手段と、
を備えることを特徴とする撮影装置。
【請求項２】
前記指示情報には、前記情報取得装置が取得する前記付加情報を、当該情報取得装置が前記撮影画像に付加する指示が更に含まれ、
前記制御手段は、前記撮影指示を契機として、前記画像送信手段に、前記撮影手段により生成される前記撮影画像を前記情報取得装置に送信させ、前記指示情報送信手段に、前記画像送信手段により送信される前記撮影画像に付加する前記付加情報を取得し、当該送信される前記撮影画像に、取得する前記付加情報を付加するように、前記指示情報を前記情報取得装置に送信させる制御を行う、
ことを特徴とする請求項１に記載の撮影装置。
【請求項３】
前記指示情報送信手段は、前記画像送信手段により送信される前記撮影画像を識別可能とする識別情報を前記情報取得装置に更に送信し、
前記制御手段は、前記撮影指示を契機として、前記指示情報送信手段に、前記識別情報を前記情報取得装置に更に送信させる制御を行う、
ことを特徴とする請求項２に記載の撮影装置。
【請求項４】
前記指示情報には、前記情報取得装置が取得する前記付加情報を、当該撮影装置に送信する指示が更に含まれ、
前記制御手段は、前記撮影指示を契機として、前記指示情報送信手段に、取得する前記付加情報を当該撮影装置に送信するように、前記指示情報を前記情報取得装置に更に送信させる制御を行う、
ことを特徴とする請求項２又は３に記載の撮影装置。
【請求項５】
前記画像送信手段が、前記撮影手段により生成される前記撮影画像を前記情報取得装置に自動で送信するか否かを設定する設定手段を、更に備え、
前記制御手段は、前記撮影指示を契機として、前記設定手段により自動で送信する設定となっている場合に、前記画像送信手段に前記撮影手段により撮影される前記撮影画像を前記情報取得装置に送信させ、前記指示情報送信手段に、送信される前記撮影画像に付加する前記付加情報を取得し、当該撮影画像に取得する前記付加情報を付加するように、前記指示情報を前記情報取得装置に送信させる制御を行う一方、自動で送信する設定となっていない場合に、前記指示情報送信手段に、前記画像送信手段により送信される前記撮影画像に付加する前記付加情報を取得し、取得する前記付加情報を当該撮影装置に送信するように、前記指示情報を前記情報取得装置に送信させる制御を行う、
ことを特徴とする請求項２乃至４の何れか１項に記載の撮影装置。
【請求項６】
前記指示情報には、前記情報取得装置が取得する前記付加情報の種類が更に含まれ、
前記制御手段は、前記撮影指示を契機として、前記指示情報送信手段に、指定する種類の前記付加情報を取得するように、前記指示情報を前記情報取得装置に更に送信させる制御を行う、
ことを特徴とする請求項２乃至５の何れか１項に記載の撮影装置。
【請求項７】
前記指示情報送信手段は、前記指示情報として、前記撮影手段により撮影画像生成時の時刻情報である撮影時刻を送信する、
ことを特徴とする請求項１乃至６の何れか１項に記載の撮影装置。
【請求項８】
前記撮影手段は、生成する前記撮影画像に撮影時刻を、更に付加し、
前記指示情報送信手段は、前記撮影時刻を前記指示情報とともに、前記画像送信手段により送信される前記撮影画像を識別すための識別情報として、前記情報取得装置に送信する、
ことを特徴とする請求項７に記載の撮影装置。
【請求項９】
前記指示情報送信手段により送信される前記指示情報は、前記画像送信手段により送信される前記撮影画像より先に、前記情報取得装置により取得される、
ことを特徴とする請求項１乃至８の何れか１項に記載の撮影装置。
【請求項１０】
前記情報取得装置のセンサによって取得される情報は、位置情報である、
ことを特徴とする請求項１乃至９の何れか１項に記載の撮影装置。
【請求項１１】
前記画像送信手段は、通信媒体としてＷｉ−Ｆｉを介して、前記撮影画像を送信し、
前記指示情報送信手段は、通信媒体としてＢＬＥ（Ｂｌｕｅｔｏｏｔｈ  ｌｏｗ  ｅｎｅｒｇｙ）を介して、前記指示情報を送信する、
ことを特徴とする請求項１乃至１０の何れか１項に記載の撮影装置。
【請求項１２】
センサを備える情報取得装置であって、
撮影装置から送信される撮影画像情報を受信する画像受信手段と、
前記撮影装置から送信される指示情報であって、前記画像受信手段により受信される撮影画像に付加するための付加情報を取得する当該指示情報を受信する指示情報受信手段と、
前記指示情報受信手段により受信される前記指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、
を備えることを特徴とする情報取得装置。
【請求項１３】
前記指示情報受信手段は、前記撮影装置から送信される撮影画像生成時の時刻情報である撮影時刻を前記指示情報として受信し、
前記情報取得手段は、前記撮影装置から送信される前記撮影時刻を受信することに応じて、前記付加情報を前記センサにより取得する、
ことを特徴とする請求項１２に記載の情報取得装置。
【請求項１４】
前記指示情報受信手段は、前記撮影装置から送信される前記撮影時刻を、更に前記画像受信手段により受信される前記撮影画像を識別するための識別情報として受信し、
前記情報付加手段は、前記画像受信手段により受信される前記撮影画像に付加されている撮影時刻と、前記指示情報受信手段により受信される前記識別情報としての撮影時刻とを照合することで、前記情報取得手段により取得される前記付加情報を付加する前記撮影画像を識別する。
ことを特徴とする請求項１３に記載の情報取得装置。
【請求項１５】
前記指示情報受信手段により受信される前記識別情報としての撮影時刻と、前記情報取得手段により取得される前記付加情報と、を対応付けて複数記憶する対応情報記憶手段を更に備え、
前記情報付加手段は、前記画像受信手段により受信される前記撮影画像に付加されている撮影時刻と、前記対応情報記憶手段により記憶されている前記識別情報としての撮影時刻とを照合することで、対応付けて記憶されている前記付加情報を付加する前記撮影画像を識別する、
ことを特徴とする請求項１４に記載の情報取得装置。
【請求項１６】
前記対応情報記憶手段は、指示情報受信手段により受信される前記識別情報としての撮影時刻が、記憶している前記撮影時刻と一致する場合は、対応付ける付加情報を、新たに前記情報取得手段により取得される付加情報に更新する、
ことを特徴とする請求項１５に記載の情報取得装置。
【請求項１７】
前記指示情報受信手段により受信される前記指示情報は、前記画像受信手段により受信される前記撮影画像より先に取得される、
ことを特徴とする請求項１２乃至１６の何れか１項に記載の情報取得装置。
【請求項１８】
前記情報取得手段がセンサにより取得する情報は、位置情報である、
ことを特徴とする請求項１２乃至１７の何れか１項に記載の情報取得装置。
【請求項１９】
前記画像受信手段は、通信媒体としてＷｉ−Ｆｉを介して、前記撮影画像を受信し、
前記指示情報受信手段は、通信媒体としてＢＬＥを介して、前記指示情報を受信する、
ことを特徴とする請求項１２乃至１８の何れか１項に記載の情報取得装置。
【請求項２０】
撮影装置と、センサを有する情報取得装置と、を備える情報取得システムであって、
前記撮影装置は、
撮像手段により撮像される画像を取得して、撮影画像を生成する撮影手段と、
前記撮影手段により生成される前記撮影画像を前記情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に撮影画像生成時における前記付加情報を取得するように、前記指示情報を前記情報取得装置に送信させる制御を行う制御手段と、を有し、
前記情報取得装置は、
前記撮影装置から送信される前記指示情報を受信する画像受信手段と、
前記撮影装置から送信される指示情報であって、前記画像受信手段により受信される前記付加情報を取得する指示情報を受信する指示情報受信手段と、
前記指示情報受信手段により受信される指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、を有する、
ことを特徴とする情報取得システム。
【請求項２１】
情報取得手段がセンサにより取得する情報は、位置情報である、
ことを特徴とする請求項２０に記載の情報取得システム。
【請求項２２】
画像送信手段と画像受信手段とは、通信媒体としてＷｉ−Ｆｉを介して、撮影画像を送受信し、
指示情報送信手段と指示情報受信手段とは、通信媒体としてＢＬＥを介して、指示情報を送受信する、
ことを特徴とする請求項２０又は２１に記載の情報取得システム。
【請求項２３】
撮像手段により撮像される画像を取得して、撮影画像を生成する撮影処理と、
前記撮影処理により生成される前記撮影画像を情報取得装置に送信する画像送信処理と、
前記情報取得装置のセンサによって取得される情報であって、前記画像送信処理により送信される前記撮影画像に付加するための付加情報を取得するように、指示情報を当該情報取得装置に送信する指示情報送信処理と、
撮影指示を契機として、前記撮影処理に前記撮影画像を生成させ、前記画像送信処理にその撮影される前記撮影画像を送信させるとともに、前記指示情報送信処理に撮影画像生成時における前記付加情報を取得するように、前記指示情報を前記情報取得装置に送信させる制御を行う制御処理と、
を含むことを特徴とする送信制御方法。
【請求項２４】
センサを備える情報取得装置で実行される情報取得方法あって、
撮影装置から送信される撮影画像情報を受信する画像受信処理と、
撮影装置から送信される指示情報であって、画像受信処理により受信される撮影画像に付加するための付加情報を取得する指示情報を受信する指示情報受信処理と、
指示情報受信処理により受信される指示情報に応じて、付加情報をセンサにより取得する情報取得処理と、
画像受信処理により受信される撮影画像に、情報取得処理により取得される付加情報を付加する処理を行う情報付加処理と、
を含むことを特徴とする情報取得方法。
【請求項２５】
コンピュータに、
撮像手段により撮像される画像を取得して、撮影画像を生成する撮影機能と、
前記撮影機能により生成される前記撮影画像を情報取得装置に送信する画像送信機能と、
前記情報取得装置のセンサによって取得される情報であって、前記画像送信機能により送信される前記撮影画像に付加するための付加情報を取得するように、指示情報を当該情報取得装置に送信する指示情報送信機能と、
撮影指示を契機として、前記撮影機能に前記撮影画像を生成させ、前記画像送信機能にその撮影される前記撮影画像を送信させるとともに、前記指示情報送信機能に撮影画像生成時における前記付加情報を取得するように、前記指示情報を前記情報取得装置に送信させる制御を行う制御機能と、
を実現させることを特徴とするプログラム。
【請求項２６】
センサを備える情報取得装置を制御するコンピュータに、
撮影装置から送信される撮影画像情報を受信する画像受信機能と、
撮影装置から送信される指示情報であって、画像受信機能により受信される撮影画像に付加するための付加情報を取得する指示情報を受信する指示情報受信機能と、
指示情報受信機能により受信される指示情報に応じて、付加情報をセンサにより取得する情報取得機能と、
画像受信機能により受信される撮影画像に、情報取得機能により取得される付加情報を付加する機能を行う情報付加機能と、
を実現させることを特徴とするプログラム。
【発明の詳細な説明】
【技術分野】
【０００１】
本発明は、撮影装置、情報取得装置、情報取得システム、送信制御方法、情報取得方法及びプログラムに関する。
【背景技術】
【０００２】
従来より、撮影装置により撮影された画像を撮影した撮影装置だけではなく、他の外部装置でも活用するために画像が撮影されると自動的に外部装置に送信する技術がある（特許文献１参照）。また、撮影装置により撮影された画像に内蔵するＧＰＳ（Ｇｌｏｂａｌ  Ｐｏｓｉｔｉｏｎｉｎｇ  Ｓｙｓｔｅｍ）受信機により取得された位置情報を付加してＷｅｂページに公開する技術がある（特許文献２参照）。
【先行技術文献】
【特許文献】
【０００３】
【特許文献１】特開２００２−３４２４６５号公報
【特許文献２】特開２００４−０３２１２９号公報
【発明の概要】
【発明が解決しようとする課題】
【０００４】
しかしながら、上述した特許文献１及び２に記載の技術では、位置情報等の各種の情報を付加することで撮影画像をより幅広く活用することができるようになる反面、撮影装置本体にＧＰＳ受信機等各種の装置やセンサを内蔵する必要があるという問題がある。
【０００５】
本発明は、このような状況に鑑みてなされたものであり、撮影した画像に付加する情報を効率よく取得することを目的とする。
【課題を解決するための手段】
【０００６】
上記目的を達成するため、本発明の一態様の撮影装置は、
撮像手段により撮像される画像を取得して、撮影画像を生成する撮影手段と、
外部装置のセンサによって取得される情報であって、前記撮影手段により生成される撮影画像に付加するための付加情報を取得するように、指示情報を当該外部装置に送信する指示情報送信手段と、
撮影指示を契機として、前記撮影手段に前記撮影画像を生成させるとともに、前記指示情報送信手段に撮影指示時点における前記付加情報を取得するように、前記指示情報を前記外部装置に送信させる制御を行う制御手段と、
を備えることを特徴とする。
【発明の効果】
【０００７】
本発明によれば、撮影した画像に付加する情報を効率よく取得することができる。
【図面の簡単な説明】
【０００８】
【図１】本発明の一実施形態に係る情報付加システムのシステム構成を示すシステム構成図である。
【図２】本発明の一実施形態に係る情報付加システムの撮像装置及び携帯端末のハードウェアの構成を示すブロック図である。
【図３】自動送信設定の設定例を示す模式図である。
【図４】図２の撮像装置の機能的構成のうち、情報付加処理を実行するための機能的構成を示す機能ブロック図である。
【図５】図２の携帯端末の機能的構成のうち、情報付加処理を実行するための機能的構成を示す機能ブロック図である。
【図６】図４及び図５の機能的構成を有する図２の撮像装置及び携帯端末が実行する情報付加処理の流れを説明するフローチャートである。
【図７】図４及び図５の機能的構成を有する図２の撮像装置及び携帯端末が実行する情報付加処理の流れを説明するフローチャートである。
【図８】図４及び図５の機能的構成を有する図２の撮像装置及び携帯端末が実行する情報付加処理の流れを説明するフローチャートである。
【図９】第２の実施形態における情報付加の概要を説明するための模式図である。
【図１０】図２の撮像装置１の機能的構成のうち、情報付加処理を実行するための機能的構成を示す機能ブロック図である。
【図１１】図２の携帯端末２の機能的構成のうち、情報付加処理を実行するための機能的構成を示す機能ブロック図である。
【図１２】図１０及び図１１の機能的構成を有する図２の撮像装置１及び携帯端末２が実行する情報付加処理の流れを説明するフローチャートである。
【発明を実施するための形態】
【０００９】
以下、本発明の実施形態について、図面を用いて説明する。
【００１０】
＜第１の実施形態＞
図１は、本発明の一実施形態に係る情報付加システムのシステム構成を示すシステム構成図である。
【００１１】
情報付加システムＳは、図１に示すように、撮像装置１と携帯端末２とを備える。
撮像装置１と携帯端末２との間では、第１通信方式である低消費電力で近距離無線通信のＢＬＥ（Ｂｌｕｅｔｏｏｔｈ  ｌｏｗ  ｅｎｅｒｇｙ，「Ｂｌｕｅｔｏｏｔｈ」は登録商標）（商標）と、第２通信方式である大容量データ通信可能な近距離無線高速通信のＷｉ−Ｆｉ（Ｗｉｒｅｌｅｓｓ  Ｆｉｄｅｌｉｔｙ）の２種類の通信方式で通信を行う。ＢＬＥは、常時接続しており、一方のＷｉ−Ｆｉでは、大容量のデータをやり取りする際に、ＢＬＥ経由で撮像装置１からの接続指示に基づいて接続を確立するように構成される。
【００１２】
図２は、本発明の一実施形態に係る情報付加システムＳの撮像装置１及び携帯端末２のハードウェアの構成を示すブロック図である。
以下、まず、撮像装置１のハードウェアの構成について説明し、次いで、携帯端末２のハードウェアの構成について説明する。なお、撮像装置１のハードウェアの構成については、符号の末尾に「−１」を付すものとし、携帯端末２のハードウェアの構成については、符号の末尾に「−２」を付すものとする。
【００１３】
撮像装置１は、例えば、デジタルカメラとして構成される。
撮像装置１は、図２に示すように、ＣＰＵ（Ｃｅｎｔｒａｌ  Ｐｒｏｃｅｓｓｉｎｇ  Ｕｎｉｔ）１１−１と、ＲＯＭ（Ｒｅａｄ  Ｏｎｌｙ  Ｍｅｍｏｒｙ）１２−１と、ＲＡＭ（Ｒａｎｄｏｍ  Ａｃｃｅｓｓ  Ｍｅｍｏｒｙ）１３−１と、バス１４−１と、入出力インターフェース１５−１と、撮像部１６−１と、入力部１７−１と、出力部１８−１と、記憶部１９−１と、第１通信部２０−１と、第２通信部２１−１と、ドライブ２２−１と、を備えている。
【００１４】
ＣＰＵ１１−１は、ＲＯＭ１２−１に記録されているプログラム、又は、記憶部１９−１からＲＡＭ１３−１にロードされたプログラムに従って各種の処理を実行する。
【００１５】
ＲＡＭ１３−１には、ＣＰＵ１１−１が各種の処理を実行する上において必要なデータ等も適宜記憶される。
【００１６】
ＣＰＵ１１−１、ＲＯＭ１２−１及びＲＡＭ１３−１は、バス１４−１を介して相互に接続されている。このバス１４−１にはまた、入出力インターフェース１５−１も接続されている。入出力インターフェース１５−１には、撮像部１６−１、入力部１７−１、出力部１８−１、記憶部１９−１、第１通信部２０−１、第２通信部２１−１及びドライブ２２−１が接続されている。
【００１７】
撮像部１６−１は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６−１の出力信号として出力される。
このような撮像部１６−１の出力信号を、以下、「撮像画像のデータ」と呼ぶ。撮像画像のデータは、ＣＰＵ１１−１や図示しない画像処理部等に適宜供給される。
【００２０】
入力部１７−１は、各種釦等で構成され、ユーザの指示操作に応じて各種情報を入力する。
【００２１】
出力部１８−１は、ディスプレイやスピーカ等で構成され、画像や音声を出力する。
【００２２】
記憶部１９−１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２３】
第１通信部２０−１は、低速であるが省電力であり常時接続に適した第１通信方式で外部装置（本実施形態においては、携帯端末２）との間で行う通信を制御する。本実施形態においては、第１通信方式は、ＢＬＥの通信規格に基づいた通信方式を用いる。
【００２４】
第２通信部２１−１は、高速でありファイルの送受信に適した第２通信方式で外部装置（本実施形態においては、携帯端末２）との間で行う通信を制御する。本実施形態においては、第２通信方式は、無線ＬＡＮのうちＷｉ−Ｆｉの通信規格に基づいた通信方式を用いる。
【００２５】
ドライブ２２−１には、磁気ディスク、光ディスク、光磁気ディスク、或いは半導体メモリ等よりなる、リムーバブルメディア３１−１が適宜装着される。ドライブ２２−１によってリムーバブルメディア３１−１から読み出されたプログラムは、必要に応じて記憶部１９−１にインストールされる。また、リムーバブルメディア３１−１は、記憶部１９−１に記憶されている画像のデータ等の各種データも、記憶部１９−１と同様に記憶することができる。
【００２６】
携帯端末２は、例えば、スマートフォンとして構成される。
また、携帯端末２は、上述したハードウェアの構成（ＣＰＵ１１−２乃至リムーバブルメディア３１−２）に加えて、ＧＰＳ部２３−２と、センサ部２４−２と、を備える。ＧＰＳ部２３−２及びセンサ部２４−２は、入出力インターフェース１５−２に接続されている。
【００２７】
ＧＰＳ部２３−２は、ＧＰＳ受信アンテナを介して、複数のＧＰＳ用衛星からのＧＰＳ信号を受信する。ＣＰＵ１１−２は、ＧＰＳ部２３−２が受信したＧＰＳ信号に基づいて、機器（携帯端末２）の現在位置を示す緯度及び経度、高度の情報（以下、「位置情報」という。）を取得する。
【００２８】
センサ部２４−２は、温度センサ、気圧センサ、加速度センサ等の各種センサにより構成される。
【００２９】
なお、携帯端末２において、撮像装置１と同様であるハードウェアの構成については、説明を省略する。即ち、撮像装置１と同様のＣＰＵ１１−２乃至リムーバブルメディア３１−２については、説明を省略する。
【００３０】
以上のように構成される情報付加システムＳでは、撮像装置１で撮影した画像に対して、携帯端末２のＧＰＳ部２３−２やセンサ部２４−２から取得した情報（以下、「付加情報」という。）を付加することができる機能を有する。
本実施形態においては、撮像装置１と同一の環境で携帯端末２がある前提で運用され、携帯端末２によって撮像装置１の撮影環境である位置情報や温度情報等の各種センサ情報を取得し、取得した情報を付加情報として対応する画像に付加する。
【００３１】
具体的には、本実施形態の情報付加システムＳにおいては、撮像装置１と外部装置である携帯端末２との間を撮影画像送信用の高速通信であるＷｉ−Ｆｉと制御情報送受信用の常時接続可能な低消費電力通信であるＢＬＥとで接続する。
そして、撮像装置１側の撮影指示を契機として、携帯端末２に、ＢＬＥ経由で指示をして撮影指示時点におけるセンサ情報を取得させる。
その後、Ｗｉ−Ｆｉとの接続を開始し、撮像装置１で撮影した画像を携帯端末２に送信して、携帯端末２側で画像にセンサ情報を付加情報として付加させる。また、撮像装置１からは、撮影指示時点におけるセンサ情報を取得する指示共に、付加対象である画像を識別するための識別情報であるファイル名等が送信される。携帯端末２では、識別情報に基づいて、付加対象の画像を特定して、付加情報を付加する。
また、撮像装置１から画像を送信しない場合には、携帯端末２から付加情報をＢＬＥ経由で送信させて、付加情報を取得して、付加情報を画像に付加する。
本実施形態においては、撮像装置１から画像を送信するか否か、どのセンサ情報を取得させるか等を設定に応じて決定する。
【００３２】
ここで、本実施形態における画像に対する自動送信の設定例について説明する。
図３は、自動送信設定の設定例を示す模式図である。なお、図において、□はチェックボックスの非選択状態を示し、■はチェックボックスの選択状態を示し、○はラジオボタンの非選択箇所を示し、●はラジオボタンの選択箇所を示す。また、選択不可箇所は、グレーアウト表示がされる。
【００３３】
本実施形態においては、撮像装置１と外部装置（本実施形態においては、携帯端末２）との連携を図る設定（以下、「自動送信設定」という。）を行うことができる。
自動送信設定では、装置側画像送信設定と、端末側情報受信設定を設定することができる。
【００３４】
自動送信設定のうち、装置側画像送信設定をした場合には、図３に示すように、自動的に送信する画像の撮影時に外部装置でセンサ情報を取得させて、当該取得したセンサ情報を付加情報として画像に付加させることができる。この際、設定の有無に加えて、外部装置においてどのような種類の情報を取得させるかについても選択することができる。なお、外部装置に付加情報を送信するように指示し、受信される付加情報を、自装置で撮影情報に付加するようにさらに設定することができる。このように構成することで、送信先の外部装置に記憶される付加情報が付加された画像との整合を取れるようにする。
【００３５】
また、自動送信設定のうち、端末側情報受信設定をした場合には、外部装置から取得したセンサ情報を付加情報として撮像装置１に自動的に受信させることができる。
【００３６】
具体的には、図３の例では、自動送信設定のうち、装置側画像送信設定をする場合には、「撮影した画像を外部装置に自動送信する」を選択し、「自動送信する画像に外部装置が取得する情報を付加する」を選択し、付加情報の種類を選択する。本例では、「位置情報」が選択されている。なお、外部装置に付加情報を送信するように指示し、受信される付加情報を、自装置で撮影情報に付加するようにする場合は、「カメラの撮影画像にも外部装置が取得する情報を付加する」を選択する。
【００３７】
また、自動送信設定のうち、端末側情報受信設定をする場合には、「外部装置から付加する情報を受信する」を選択する。
【００３８】
図４は、このような撮像装置１の機能的構成のうち、情報付加処理を実行するための機能的構成を示す機能ブロック図である。
情報付加処理とは、取得した画像に対して、当該画像の撮影時点の付加情報を追加する一連の処理をいう。情報付加処理において、自動送信設定のうち、装置側画像送信設定がされた場合には、携帯端末２において撮影時点での情報（付加情報）が取得されて、その後、撮像装置１から画像が自動送信され、取得した情報が画像に付加される。これに対して、自動送信設定のうち、端末側情報受信設定がされた場合には、携帯端末２において撮影時点でのセンサ情報（付加情報）が取得されて、当該取得した情報を撮像装置１に送信して、撮像装置１にて、画像に情報が付加される。
【００３９】
撮像装置１で情報付加処理を実行する場合には、図４に示すように、ＣＰＵ１１−１において、自動送信設定部５１と、撮像制御部５２と、通信制御部５３と、情報付加部５４と、が機能する。
【００４０】
また、記憶部１９−１の一領域には、画像記憶部７１が設定される。
画像記憶部７１には、撮像部１６から取得した画像のデータが記憶される。
【００４１】
自動送信設定部５１は、ユーザによる入力部１７−１を介した設定操作に応じて、自動送信設定（装置側画像送信設定及び端末側情報受信設定）を行う。また、自動送信設定部５１は、自動送信設定の設定状態を判定する。また、自動送信設定部５１は、ユーザによる設定結果に応じて、携帯端末２側の自動送信設定の設定内容の情報（以下、「設定情報」という。）を生成する。自動送信設定部５１により携帯端末２側の自動送信設定の設定内容を生成・送信することで、ユーザによる個別の設定操作を行う必要がなくなり、自動的に自動送信に係る動作を行うことができる。
【００４２】
撮像制御部５２は、ユーザによる入力部１７−１を介した撮影指示操作に基づいて、撮影処理を実行するように撮像部１６−１を制御する。また、撮像制御部５２は、撮像部１６−１から画像（以下、「撮影画像」ともいう。）を取得する。
【００４３】
通信制御部５３は、自動送信の設定に応じて、通信を行うように第１通信部２０−１及び第２通信部２１−１を制御する。
具体的には、通信制御部５３は、携帯端末２への各種指示（アプリケーションの起動指示、位置情報取得トリガ）、画像を対応付けるための情報（以下、「撮影画像情報」という。）、自動送信設定の設定内容である設定情報を携帯端末２に送信したり、第２通信部２１−１でＷｉ−Ｆｉでの通信を携帯端末２との間で確立したりするように第１通信部２０−１を制御する。また、通信制御部５３は、Ｗｉ−Ｆｉでの通信が確立した場合に、画像を送信するように第２通信部２１−１を制御する。
なお、位置情報取得トリガには、位置情報を取得する指示に加えて、装置側画像送信設定の場合には、画像に位置情報を付加情報として付加する指示、端末側情報受信設定の場合には、位置情報を付加情報として、対応付けるための撮影画像情報と共に撮像装置１に送信する指示が含まれる。
【００４４】
情報付加部５４は、位置情報取得トリガに応じて取得された付加情報（例えば、位置情報）と共に受信した撮影画像情報（本実施形態においては、画像のファイル名）と対応する画像（同一のファイル名の画像）に受信した付加情報を付加する。
【００４５】
図５は、上述のような携帯端末２の機能的構成のうち、情報付加処理を実行するための機能的構成を示す機能ブロック図である。
携帯端末２で情報付加処理を実行する場合には、図５に示すように、ＣＰＵ１１−２において、自動送信管理部９１と、通信制御部９２と、アプリケーション管理部９３と、情報取得部９４と、情報付加部９５と、が機能する。
【００４６】
また、記憶部１９−２の一領域には、画像記憶部１１１が設定される。
画像記憶部１１１には、撮像装置１から取得した画像のデータが記憶される。
【００４７】
自動送信管理部９１は、撮像装置１から送信された設定情報に基づいて、通信制御部９２等が動作するように設定の管理を行う。
【００４８】
通信制御部９２は、自動送信の設定に応じて、通信を行うように第１通信部２０−２及び第２通信部２１−２を制御する。具体的には、通信制御部９２は、ＢＬＥ通信経由で、撮像装置１との間で、各種情報（アプリケーション起動指示、位置情報取得トリガ、撮影画像情報、設定情報、付加情報）を送受信するように第１通信部２０−２を制御する。また、通信制御部９２は、Ｗｉ−Ｆｉでの通信を撮像装置１との間で確立したり、Ｗｉ−Ｆｉ経由で、撮像装置１から撮像画像を受信したりするように第２通信部２１−２を制御する。
【００４９】
アプリケーション管理部９３は、アプリケーションの起動や動作の管理を行う。
【００５０】
情報取得部９４は、ＧＰＳ部２３−２やセンサ部２４−２から位置情報や温度情報等のセンサ情報を取得する。
【００５１】
情報付加部９５は、撮像装置１から自動送信された画像のうちの、位置情報取得トリガと共に受信した撮影画像情報（本実施形態においては、画像のファイル名）と対応する画像（同一のファイル名の画像）に付加情報（例えば、位置情報）を付加する。
【００５２】
図６乃至図８は、図４及び図５の機能的構成を有する図２の撮像装置１及び携帯端末２が実行する情報付加処理の流れを説明するフローチャートである。
なお、情報付加処理の開始状態では、撮像装置１と携帯端末２との間では、第１通信方式であるＢＬＥのペアリングが完了しており、常時接続している状態となっている。また、第２通信方式であるＷｉ−Ｆｉについては、オフ状態であるが、撮像装置１と携帯端末２との間では、互いにＷｉ−Ｆｉの設定（プロファイル）を取得しており、Ｗｉ−Ｆｉの起動時には撮像装置１と携帯端末２の間で１対１での通信接続を容易に確立することができる状態となっている。
また、撮像装置１では、図３に示すような自動送信設定画面を介して行われたユーザの入力部１７−１への設定操作に応じて、撮像装置１の自動送信設定部５１は、装置側画像送信設定或いは端末側情報送信設定を行う。即ち、装置側画像送信設定をした場合には、撮像装置１で撮像された画像が携帯端末２に送信され、携帯端末２で取得した付加情報（例えば、位置情報）が撮像装置１から送信された画像に付加される。また、端末側情報送信設定をした場合には、携帯端末２で取得した付加情報（例えば、位置情報）を撮像装置１に送信して、撮像装置１において画像に付加情報を付加する。また、撮像装置１の自動送信設定部５１は、撮像装置１で行われた設定に応じた携帯端末２側の設定情報を生成する。
【００５３】
＜撮像装置１側の情報付加処理＞
ステップＳ１１１において、撮像制御部５２は、撮影指示に呼応して撮影処理を実行するように撮像部１６−１を制御する。その結果、撮像部１６−１から撮像画像が出力される。出力された撮像画像は撮影処理が行われ、画像記憶部７１に記憶される。
【００５４】
ステップＳ１１２において、通信制御部５３は、携帯端末２に対して、第１通信方式であるＢＬＥでの通信を行い、アプリケーション起動指示を送信するように第１通信部２０−１を制御する。その結果、携帯端末２では、アプリケーションが起動される。
【００５５】
ステップＳ１１３において、通信制御部５３は、位置情報を取得し、画像に取得した位置情報を付加情報として付加する指示である位置情報取得トリガと、撮影画像情報（本実施形態においては、画像のファイル名）と、自動送信設定部５１によって生成された自動送信設定の設定内容である設定情報とを送信するように第１通信部２０−１を制御する。
【００５６】
ステップＳ１１４において、自動送信設定部５１は、装置側画像送信設定機能が「入」であるか否かを判定する。
装置側画像送信設定機能が「入」である場合には、ステップＳ１１４においてＹＥＳと判定されて処理はステップＳ１１５に進む。
【００５７】
ステップＳ１１５において、通信制御部５３は、親機となるＡＰ（アクセスポイント）モードでＷｉ−Ｆｉをオンするように第２通信部２１−１を制御する。
【００５８】
ステップＳ１１６において、通信制御部５３は、第２通信部２１−１で携帯端末２とＷｉ−Ｆｉ通信で接続したか否かを判定する。通信制御部５３は、携帯端末２から接続した旨の通知の有無を確認して、接続の判定を行う。
携帯端末２と接続した場合には、ステップＳ１１６においてＹＥＳと判定されて、処理はステップＳ１１９に進む。ステップＳ１１９以降の処理は後述する。
携帯端末２と接続してない場合には、ステップＳ１１６においてＮＯと判定されて、処理はステップＳ１１７に進む。
【００５９】
ステップＳ１１７において、通信制御部５３は、予め設定された時間が経過して時間切れとなったか否かを判定する。
時間切れとなっていない場合には、ステップＳ１１７においてＮＯと判定されて、処理はステップＳ１１６に戻る。
時間切れとなった場合には、ステップＳ１１７においてＹＥＳと判定されて、処理はステップＳ１１８に進む。
【００６０】
ステップＳ１１８において、通信制御部５３は、第２通信部２１−１での携帯端末２とのＷｉ−Ｆｉ通信をオフし、ステップＳ１１１に戻る。
【００６１】
ステップＳ１１９において、通信制御部５３は、撮影した画像を携帯端末２に送信するように第２通信部２１−１を制御する。送信の結果、撮影した画像に対して、携帯端末２で取得された付加情報（例えば、位置情報）が付加される。
その後、撮像装置１側の情報付加処理を終了する。
【００６２】
これに対して、装置側画像送信設定機能が「切」（端末側情報受信設定機能が「入」）である場合には、ステップＳ１１４においてＮＯと判定されて処理はステップＳ１２０に進む。
【００６３】
ステップＳ１２０において、通信制御部５３は、携帯端末２から送信された位置情報と撮影画像情報を受信するように第１通信部２０−１を制御する。
【００６４】
ステップＳ１２１において、情報付加部５４は、画像記憶部７１に記憶されている撮影画像情報に対応する画像に付加情報（例えば、位置情報）を付加する。その後、撮像装置１側の情報付加処理を終了する。
【００６５】
＜携帯端末２側の情報付加処理＞
ステップＳ１４１において、通信制御部９２は、ＢＬＥ通信経由で、撮像装置１から送信されたアプリケーション起動指示を受信するように第１通信部２０−２を制御する。アプリケーション起動指示を受けて、アプリケーション管理部９３は、アプリケーションを起動する。
【００６６】
ステップＳ１４２において、通信制御部９２は、ＢＬＥ通信経由で、撮像装置１から送信された位置情報取得トリガと、撮影画像情報である撮影した画像のファイル名と、設定情報を受信するように第１通信部２０−２を制御する。自動送信管理部９１は、受信した設定情報に応じた通信制御部９２等の動作の管理を行う。
【００６７】
ステップＳ１４３において、情報取得部９４は、付加情報の種類として位置情報が選択されていた場合には、ＧＰＳ部２３−２における測位結果である位置情報を取得する。
【００６８】
ステップＳ１４４において、自動送信管理部９１は、受信した自動送信設定の装置側画像送信設定機能が「入」であるか否かを判定する。
装置側画像送信設定機能が「入」である場合には、ステップＳ１４４においてＹＥＳと判定されて処理はステップＳ１４５に進む。
【００６９】
ステップＳ１４５において、通信制御部９２は、親機となるＡＰ（アクセスポイント）モードでＷｉ−Ｆｉをオンするように第２通信部２１−２を制御する。
【００７０】
ステップＳ１４６において、通信制御部９２は、アクセスポイント（ＡＰ）の撮像装置１を検索するように第２通信部２１−２を制御する。
【００７１】
ステップＳ１４７において、通信制御部９２は、アクセスポイント（ＡＰ）の撮像装置１が見つかったか否かを判定する。
アクセスポイントの撮像装置１が見つかった場合（または既に撮像装置１との接続が確立している場合）には、ステップＳ１４７においてＹＥＳと判定されて、処理はステップＳ１５０に進む。ステップＳ１５０以降の処理は後述する。
アクセスポイントの撮像装置１が見つからない場合には、ステップＳ１４７においてＮＯと判定されて、処理はステップＳ１４８に進む。
【００７２】
ステップＳ１４８において、通信制御部９２は、予め設定された時間が経過して時間切れとなったか否かを判定する。
時間切れとなっていない場合には、ステップＳ１４８においてＮＯと判定されて、処理はステップＳ１４７に戻る。
時間切れとなった場合には、ステップＳ１４８においてＹＥＳと判定されて、処理はステップＳ１４９に進む。
【００７３】
ステップＳ１４９において、通信制御部５３は、第２通信部２１−２での携帯端末２とのＷｉ−Ｆｉ通信をオフし、ステップＳ１４１に戻る。
【００７４】
ステップＳ１５０において、通信制御部９２は、第２通信方式であるＷｉ−Ｆｉでの通信を行い、アクセスポイント（ＡＰ）の撮像装置１に接続し、接続した旨を撮像装置１に通知するように第２通信部２１−２を制御する（撮像装置１との間で通信接続を確立する）。
【００７５】
ステップＳ１５１において、通信制御部９２は、撮像装置１から送信された画像を受信するように第２通信部２１−２を制御する。受信された画像は、画像記憶部１１１に記憶される。
【００７６】
ステップＳ１５２において、情報付加部９５は、撮影画像情報に対応する画像に付加情報（例えば、位置情報）を付加する。その後、携帯端末２側の情報付加処理を終了する。
【００７７】
これに対して、装置側画像送信設定機能が「切」（端末側情報受信設定機能が「入」）である場合には、ステップＳ１４４においてＮＯと判定されて処理はステップＳ１５３に進む。
【００７８】
ステップＳ１５３において、通信制御部９２は、位置情報と、撮影画像情報を撮像装置１に送信するように第１通信部２０−２を制御する。撮像装置１に送信された位置情報は、撮影画像情報に対応する画像に付加情報として付加される。その後、携帯端末２側の情報付加処理を終了する。なお、ＢＬＥ通信が切断した場合には、位置情報や撮影画像情報を保持しておき、次回に接続が確立時に再送する。
【００７９】
したがって、カメラ（撮像装置１）とスマートフォン（外部装置である携帯端末２）との間を撮影画像送信用の高速通信と制御情報送受信用の常時接続可能な低消費電力通信とで接続し、撮像装置１側の撮影指示を契機として、外部装置である携帯端末２に、（１）低消費電力通信を介して、撮影した画像に付加される、撮影指示時点における位置情報（付加情報）を取得させる指示情報（位置情報取得トリガ）と、後から送信する撮影画像を識別するための識別情報（撮影画像情報）を送信し、（２）後から高速通信により送信される画像に、撮影画像情報を基に対応する位置情報を付加させる。
また、自動送信を行う設定となっていない場合は、外部装置である携帯端末２に、（３）低消費電力通信を介して、取得する付加情報を撮像装置１に送信する指示情報（位置情報取得トリガ）を送信する。
【００８０】
＜第２の実施形態＞
図９は、第２の実施形態における情報付加の概要を説明するための模式図である。
本実施形態の情報付加は、図９に示すように、撮像装置１で撮影した画像において撮像装置１側では位置情報を取得せずに、最終的に携帯端末２側の精度の高い位置情報を画像に付加（詳細には、画像のＥｘｉｆ領域に追加）する。
具体的には、撮像装置１に撮影時刻を通知するＢＬＥプロファイルサービスを設けて、画像の撮影時に携帯端末２に撮影時刻を通知する。
携帯端末２側では、撮影時刻の通知を受けて、位置情報を取得し、撮影時刻と位置情報とを一組で複数対応付けられたリスト（以下、「位置情報リスト」という。）を作成する。
撮像装置１から携帯端末２に画像が送信された場合には、画像の撮影時刻と、位置情報リストの撮影時刻と照合を行って、該当する撮影時刻に対応する位置情報を画像に付加して、位置情報を持った画像を生成する。
なお、本実施形態においては、撮像装置１と携帯端末２とはＢＬＥの近距離無線通信で位置関係が保証されており、撮影時におおよそ撮像装置１付近に携帯端末２がいることが前提となる。
撮影時刻は、毎時連続的に生成される固有の情報として捉えることができ、画像を特定する識別情報の位置付けがあり、撮像装置１と携帯端末２とで固有の識別情報を保有して管理する必要が無くなる。即ち、撮影時刻（撮影画像に付加される時刻情報）が、センサによる情報取得の指示情報と、撮影画像を識別するための識別情報を兼ねている。
【００８１】
図１０は、図２の撮像装置１の機能的構成のうち、情報付加処理を実行するための機能的構成を示す機能ブロック図である。
本実施形態の情報付加処理とは、撮像装置１での撮影時刻に対応する画像に対して、位置情報を付加する一連の処理をいう。ＢＬＥ通信が確立されていることにより近距離であることが保証された状態で撮影時刻付近に取得した位置情報を画像の位置情報とみなすことができ、さらに、携帯端末２における精度の高い位置情報を付加することができる。さらに、撮像装置１における位置測位に係る電力消費を抑えることができる。
【００８２】
撮像装置１で情報付加処理を実行する場合には、図１０に示すように、ＣＰＵ１１−１において、撮像制御部５２と、時刻取得部５５と、通信制御部５３と、が機能する。
【００８３】
また、記憶部１９−１の一領域には、画像記憶部７１が設定される。
画像記憶部７１には、撮像部１６から取得した画像のデータが記憶される。
【００８４】
撮像制御部５２は、ユーザによる入力部１７−１を介した撮影指示操作に基づいて、撮影処理を実行するように撮像部１６−１を制御する。
【００８５】
時刻取得部５５は、撮像部１６−１における撮影処理が行われた時刻、即ち、画像が撮影されて生成された時刻（以下、「撮影時刻」という。）を取得する。
【００８６】
通信制御部５３は、通信を行うように第１通信部２０−１及び第２通信部２１−１を制御する。具体的には、通信制御部１３３は、携帯端末２に対して、第１通信方式であるＢＬＥでの通信を行い、取得した撮影時刻を送信するように第１通信部２０−１を制御する。また、通信制御部５３は、携帯端末２に対して、第２通信方式であるＷｉ−Ｆｉでの通信を行い、撮影した画像を送信するように第２通信部２１−１を制御する。
【００８７】
図１１は、図２の携帯端末２の機能的構成のうち、情報付加処理を実行するための機能的構成を示す機能ブロック図である。
携帯端末２で情報付加処理を実行する場合には、図１１に示すように、ＣＰＵ１１−２において、通信制御部９２と、情報取得部９４と、情報照合部９６と、情報付加部９５と、が機能する。
【００８８】
また、記憶部１９−２の一領域には、位置情報リスト記憶部１１２と、画像記憶部１１１と、が設定される。
位置情報リスト記憶部１１２には、撮像装置１から取得した撮影時刻と、対応する時刻に測位により取得した位置情報とが対応付けられた位置情報リストが記憶される。
画像記憶部１１１には、撮像装置１から取得した画像のデータが記憶される。
【００８９】
通信制御部９２は、通信を行うように第１通信部２０−２及び第２通信部２１−２を制御する。具体的には、通信制御部９２は、ＢＬＥ通信経由で、撮像装置１から送信された撮影時刻を受信するように第１通信部２０−２を制御する。また、通信制御部９２は、撮像装置１から送信された画像を受信するように第２通信部２１−２を制御する。
【００９０】
情報取得部９４は、ＧＰＳ部２３−２から位置情報を取得する。具体的には、情報取得部９４は、取得した位置情報を位置情報リスト記憶部１１２に記憶させる。この際、位置情報リストにおいては、受信した撮影時刻と取得した位置情報との対応付けがなされるように登録される。
【００９１】
情報照合部９６は、画像の撮影時刻と、位置情報リスト記憶部１１２に記憶される位置情報リストの撮影時刻とを照合する。具体的には、情報照合部９６は、受信された画像の撮影時刻と、位置情報リストの撮影時刻との照合を行い、一致している撮影時刻があるか否かの判定を行う。
【００９２】
情報付加部９５は、画像に対して位置情報を付加する。具体的には、情報付加部９５は、情報照合部９６によって一致と判定された画像に対応する位置情報を付加する。
【００９３】
図１２は、図１０及び図１１の機能的構成を有する図２の撮像装置１及び携帯端末２が実行する情報付加処理の流れを説明するフローチャートである。なお、情報付加処理の開始状態では、撮像装置１と携帯端末２との間では、第１通信方式であるＢＬＥのペアリングが完了しており、常時接続している状態となっている。また、第２通信方式であるＷｉ−Ｆｉについては、オフ状態であるが、撮像装置１と携帯端末２との間では、互いにＷｉ−Ｆｉの設定（プロファイル）を取得しており、画像送信時に撮像装置１と携帯端末２の間で１対１での通信接続を確立し、撮像装置１から携帯端末２に対して自動で画像送信が行われる。
【００９４】
＜撮像装置１側の情報付加処理＞
ステップＳ１７１において、撮像制御部５２は、撮影指示に呼応して撮影処理を実行するように撮像部１６−１を制御する。その結果、撮像部１６−１から撮像画像が出力される。出力された撮像画像は撮影処理が行われ、画像記憶部７１に記憶される。
【００９５】
ステップＳ１７２において、時刻取得部５５は、撮像部１６−１における撮影処理が実行された撮影時刻を取得する。
【００９６】
ステップＳ１７３において、通信制御部５３は、携帯端末２に対して、第１通信方式であるＢＬＥでの通信を行い、取得した撮影時刻を送信するように第１通信部２０−１を制御する。
【００９７】
ステップＳ１７４において、通信制御部５３は、携帯端末２に対して、第２通信方式であるＷｉ−Ｆｉでの通信を行い、撮影した画像を送信するように第２通信部２１−１を制御する。その後、撮像装置１側の情報付加処理を終了する。
【００９８】
＜携帯端末２側の情報付加処理＞
ステップＳ１９１において、通信制御部９２は、ＢＬＥ通信経由で、撮像装置１から送信された撮影時刻を受信するように第１通信部２０−２を制御する。
【００９９】
ステップＳ１９２において、情報取得部９４は、付加情報の種類として位置情報が選択されていた場合には、ＧＰＳ部２３−２における測位結果である位置情報を取得する。
【０１００】
ステップＳ１９３において、情報取得部９４は、取得した位置情報を位置情報リスト記憶部１１２に記憶させる。この際、位置情報リストにおいては、受信した撮影時刻と取得した位置情報との対応付けがなされるように登録される。
【０１０１】
ステップＳ１９４において、通信制御部９２は、撮像装置１から送信された画像を受信するように第２通信部２１−２を制御する。受信された画像は、画像記憶部１１１に記憶される。
【０１０２】
ステップＳ１９５において、情報照合部９６は、受信された画像の撮影時刻と、位置情報リストの撮影時刻との照合を行い、一致している撮影時刻があるか否かの判定を行う。
一致している撮影時刻がない場合には、ステップＳ１９５においてＮＯと判定されて、携帯端末２側の情報付加処理を終了する。
一致している撮影時刻があった場合には、ステップＳ１９５においてＹＥＳと判定されて、処理はステップＳ１９６に進む。
【０１０３】
ステップＳ１９６において、情報付加部９５は、一致した画像に対応する位置情報を付加する。その後、携帯端末２側の情報付加処理を終了する。
【０１０４】
なお、上述した実施形態では、同一時刻での複数の撮影は不可能なので、画像のファイル名のような一意のＩＤを使用しなくとも撮影時刻だけで管理できるが、撮影装置１側の時計が修正される場合を想定して、同じ撮影時刻が送信されてきた場合は、古いものを破棄して更新するように構成してもよい。
【０１０５】
従来より、画像に位置情報を付加する方式は、撮像装置１（カメラ）に搭載されたＧＰＳで位置情報を取得し、撮像装置１（カメラ）で付加する方式と、撮像装置１（カメラ）以外のＧＰＳロガーや携帯端末２（スマートフォン）で位置情報を取得し、撮像装置１（カメラ）以外の機器で付加する方式がある。
撮像装置１（カメラ）で位置情報を付加する方式は、ＧＰＳの電力消費が大きく撮像装置１（カメラ）の動作可能時間が短くなる。また、ＧＰＳアンテナの実装上の制約などから位置情報の精度が悪い。
撮像装置１（カメラ）以外の機器で位置情報を付加する方式は、いつ画像が撮影されるか機器側で認識できない為、常時位置情報を取得し続けなければならず消費電流や処理負荷が大きい。また、どの画像にどの位置情報を付加するかの判断に撮像装置１（カメラ）と機器の時刻の一致で判断する為、撮像装置１（カメラ）と機器の時刻が一致するように、それぞれの時計を合わせる必要がある。
【０１０６】
そこで、情報付加システムＳでは、ＢＬＥを使用し、撮像装置１（カメラ）は撮影時に画像の撮影時刻を携帯端末２（スマートフォン）アプリに通知する。アプリはＢＬＥで通知を受けた時点で位置情報を取得し、ＢＬＥで通知された撮影時刻と関連付けて記憶し、後に撮像装置１（カメラ）から画像データを受信し、画像に記録されている撮影時刻とＢＬＥで通知された撮影時刻が一致した場合に、関連付けて記憶されている位置情報を画像に付加する。
【０１０７】
具体的には、情報付加システムＳでは、以下の動作を行う。
・撮像装置１（カメラ）に撮影時刻の通知を行うＢＬＥプロファイルを設ける。
・撮像装置１（カメラ）は撮影時に画像に記憶した撮影時刻をアプリにＢＬＥで通知する。
・撮像装置１（カメラ）は同一の撮影時刻を重複して通知しない。
・アプリはＢＬＥで撮影時刻を通知された時点で位置情報を取得し、ＢＬＥで通知された撮影時刻と関連付けて位置情報リストに記憶する。
・アプリは位置情報リストに撮影時刻と位置情報の関連情報を複数記憶できる。
・アプリは既に記憶済みの撮影時刻と同じ撮影時刻の通知を受けた場合（撮像装置１（カメラ）の時計合わせを想定）に、位置情報を取得しなおして記憶し、古い位置情報を破棄する。
・アプリは撮像装置１（カメラ）から画像データを受信し、画像に記録されている撮影時刻とＢＬＥで通知された撮影時刻が一致した場合に、関連付けて記憶されている位置情報を画像に付加する。
【０１０８】
このように構成することで、情報付加システムＳでは、以下のような効果を奏する。
・撮像装置１（カメラ）で位置情報を取得しない為、撮像装置１（カメラ）の消費電流に影響しない。
・携帯端末２（スマートフォン）で位置情報を取得する為、位置情報の精度が高い。
・アプリはＢＬＥの通知を受けた際に位置情報を取得する為、常時位置情報を取得し続けるより消費電流や処理負荷が小さい。
・撮像装置１（カメラ）は同一の撮影時刻を重複して通知しない為、連写画像など同一の撮影時刻を持つ画像などに位置情報を付加する為のＢＬＥ通知の通信負荷が小さい。
・位置情報を付加する処理が撮影とは非同期に行われる為、撮影処理の邪魔にならない。
・撮像装置１（カメラ）で編集（リサイズやトリミングなど）した画像は、元画像と同じ撮影時刻を保持している為、その画像が携帯端末２（スマートフォン）に転送された際に元画像と同じ位置情報が付加できる。
【０１０９】
以上のように構成される撮像装置１は、撮像制御部５２と、第１通信部２０−１と、通信制御部５３と、を備える。
撮像制御部５２は、撮像部１６−１により撮像される画像を取得して、撮影画像を生成する。
第１通信部２０−１は、外部装置である携帯端末２のセンサによって取得される情報であって、撮像制御部５２により生成される撮影画像に付加するための付加情報を取得するように、指示情報である位置情報取得トリガを当該外部装置である携帯端末２に送信する。
通信制御部５３は、撮影指示を契機として、撮像制御部５２に撮影画像を生成させるとともに、第１通信部２０−１に撮影指示時点における付加情報を取得するように、指示情報である位置情報取得トリガを外部装置である携帯端末２に送信させる制御を行う。
これにより、撮像装置１においては、自装置に撮影画像に付加する情報を取得するための装置やセンサ等を備えていなくとも、撮影指示時点における付加情報を取得することが可能となる。
【０１１０】
また、撮像装置１は、撮像制御部５２により生成される撮影画像を外部装置である携帯端末２に送信する第２通信部２１−１を更に備える。
指示情報である位置情報取得トリガには、外部装置である携帯端末２が取得する付加情報を、当該外部装置である携帯端末２が撮影画像に付加する指示が更に含まれる。
通信制御部５３は、撮影指示を契機として、第２通信部２１−１に、撮像制御部５２により生成される撮影画像を外部装置である携帯端末２に送信させ、第１通信部２０−１に、第２通信部２１−１により送信される撮影画像に付加する付加情報を取得し、当該送信される撮影画像に、取得する付加情報を付加するように、指示情報である位置情報取得トリガを外部装置である携帯端末２に送信させる制御を行う。
これにより、外部装置である携帯端末２側で撮影した画像に情報を付加することができ、撮影した画像に付加する情報を効率よく取得することができる。
【０１１１】
第１通信部２０−１は、第２通信部２１−１により送信される撮影画像を識別可能とする識別情報である撮影画像情報を外部装置である携帯端末２に更に送信する。
通信制御部５３は、撮影指示を契機として、第１通信部２０−１に、識別情報である撮影画像情報を外部装置である携帯端末２に更に送信させる制御を行う。
これにより、撮影した画像に対応した情報を確実に付加することができる。
【０１１２】
指示情報である位置情報取得トリガには、外部装置である携帯端末２が取得する付加情報を、当該撮影装置である撮像装置１に送信する指示が更に含まれる。
通信制御部５３は、撮影指示を契機として、第１通信部２０−１に、取得する付加情報を当該撮影装置である撮像装置１に送信するように、指示情報である位置情報取得トリガを外部装置である携帯端末２に更に送信させる制御を行う。
これにより、携帯端末２に自動的に付加情報を撮像装置１に送信させることができるために、画像に付加する情報を効率よく取得することができる。
【０１１３】
また、撮像装置１は、第２通信部２１−１が、撮像制御部５２により生成される撮影画像を外部装置である携帯端末２に自動で送信するか否かを設定する自動送信設定部５１を、更に備える。
通信制御部５３は、撮影指示を契機として、自動送信設定部５１により自動で送信する設定となっている場合に、第２通信部２１−１に撮像制御部５２により撮影される撮影画像を外部装置である携帯端末２に送信させ、第１通信部２０−１に、送信される撮影画像に付加する付加情報を取得し、当該撮影画像に取得する付加情報を付加するように、指示情報である位置情報取得トリガを外部装置である携帯端末２に送信させる制御を行う一方、自動で送信する設定となっていない場合に、第１通信部２０−１に、第２通信部２１−１により送信される撮影画像に付加する付加情報を取得し、取得する付加情報を当該撮影装置である撮像装置１に送信するように、指示情報である位置情報取得トリガを外部装置である携帯端末２に送信させる制御を行う。
これにより、ユーザが任意に画像を携帯端末２に自動で送信するか否かを設定することができる。また、自動で送信しない場合であっても、確実に画像に付加情報を付加させることができる。
【０１１４】
指示情報である位置情報取得トリガには、外部装置である携帯端末２が取得する付加情報の種類が更に含まれる。
通信制御部５３は、撮影指示を契機として、第１通信部２０−１に、指定する種類の付加情報を取得するように、指示情報である位置情報取得トリガを外部装置である携帯端末２に更に送信させる制御を行う。
これにより、種々の付加情報を取得させることができ、撮影した画像に付加する情報を効率よく取得することができる。
【０１１５】
通信制御部５３は、指示情報として、撮像部１６−１により撮影画像生成時の時刻情報である撮影時刻を送信するように第１通信部２０−１を制御する。
これにより、撮像装置１１と携帯端末２で時計合わせを行う必要がなく、撮影画像と撮影時刻を送信するだけでよくなる。
【０１１６】
撮像部１６−１では、生成する撮影画像に撮影時刻を、更に付加する。
通信制御部５３は、撮影時刻を指示情報とともに、通信制御部５３により送信される撮影画像を識別すための識別情報として、携帯端末２に送信するように第１通信部２０−１を制御する。
これにより、続けて撮影し、複数の撮影画像が送信される場合であっても、撮影画像を識別するための情報を別途送信する必要がない。
【０１１７】
第１通信部２０−１により送信される指示情報は、第２通信部２１−１により送信される撮影画像より先に、携帯端末２により取得される。
これにより、効率よく撮影指示時点における付加情報を付加させることができる。
【０１１８】
通信制御部５３は、通信媒体としてＷｉ−Ｆｉを介して、撮影画像を送信するように第２通信部２１−１を制御する。
通信制御部５３は、通信媒体としてＢＬＥを介して、指示情報を送信するように第１通信部２０−１を制御する。
これにより、高速な指示の開始と高速な画像送信とを低消費電力で実現することができる。
【０１１９】
携帯端末２は、ＧＰＳ部２３−２を備える。
通信制御部９２は、撮像装置１から送信される撮影画像情報を受信するように第２通信部２１−２を制御する。
通信制御部９２は、撮像装置１から送信される指示情報であって、第２通信部２１−２により受信される撮影画像に付加するための付加情報を取得する当該指示情報を受信するように第１通信部２０−２を制御する。
情報取得部９４は、第１通信部２０−２により受信される指示情報に応じて、付加情報をＧＰＳ部２３−２により取得する。
情報付加部９５は、通信制御部９２により受信される撮影画像に、情報取得部９４により取得される付加情報を付加する処理を行う。
これにより、外部装置である撮像装置１で撮影した画像に情報を付加することができ、撮影した画像に付加する精度高い情報を効率よく取得することができる。
【０１２０】
なお、第２の実施形態においても、ＧＰＳによる位置情報だけでなく、第１の実施形態と同様にセンサ部２４−２を備え、温度センサ、気圧センサ、照度センサ等の各種センサによる撮像装置１近傍の周囲の環境情報を取得するようにしてもよく。更に、センサ情報と絡んだＷｅｂから取得可能な情報などを取得するようにしてもよい。また、外部装置において、特別な情報がある場合（例えば、センサが異常値を検出した場合等）に、外部装置側で判断して、付加情報を画像に付加するように撮像装置１側に送信したり、受信した画像に付加したり構成してもよい。
【０１２１】
通信制御部９２は、撮像装置１から送信される撮影画像生成時の時刻情報である撮影時刻を指示情報として受信するように第１通信部２０−２を制御する。
情報取得部９４は、撮像装置１から送信される撮影時刻を受信することに応じて、付加情報をＧＰＳ部２３−２により取得する。
これにより、撮像装置１と携帯端末２で時計合わせを行う必要がなく、撮影画像と撮影時刻を送信するだけでよい。
【０１２２】
通信制御部９２は、撮像装置１から送信される撮影時刻を、更に通信制御部９２により受信される撮影画像を識別するための識別情報として受信するように第１通信部２０−２を制御する。
情報付加部９５は、通信制御部９２により受信される撮影画像に付加されている撮影時刻と、通信制御部９２により受信される識別情報としての撮影時刻とを照合することで、情報取得部９４により取得される付加情報を付加する撮影画像を識別する。
これにより、続けて撮影し、複数の撮影画像が送信される場合であっても、撮影画像を識別するための情報を別途送信する必要がない。
【０１２３】
携帯端末２は、通信制御部９２により受信される識別情報としての撮影時刻と、情報取得部９４により取得される付加情報と、を対応付けて複数記憶する位置情報リスト記憶部１１２を更に備える。
情報付加部９５は、通信制御部９２により受信される撮影画像に付加されている撮影時刻と、位置情報リスト記憶部１１２により記憶されている識別情報としての撮影時刻とを照合することで、対応付けて記憶されている付加情報を付加する撮影画像を識別する。
これにより、撮影画像を受信する順番が入れ替わったとしても付加情報を付加する撮影情報を誤るおそれがない。
【０１２４】
位置情報リスト記憶部１１２は、通信制御部９２により受信される識別情報としての撮影時刻が、記憶している撮影時刻と一致する場合は、対応付ける付加情報を、新たに情報取得部９４により取得される付加情報に更新する。
これにより、撮像装置１側の時計が修正される場合であっても対応することができる。
【０１２５】
第１通信部２０−２により受信される指示情報は、第２通信部２１−２により受信される撮影画像より先に取得される。
これにより、効率よく撮影指示時点における付加情報の付加を行うことができる。
【０１２６】
外部装置である携帯端末２が取得可能な情報は、位置情報である。
これにより、撮像装置１で位置情報を取得する機能を持たなくても、撮影した画像に付加する情報を効率よく取得することができる。
【０１２７】
なお、本発明は、上述の実施形態に限定されるものではなく、本発明の目的を達成できる範囲での変形、改良等は本発明に含まれるものである。
【０１２８】
上述の実施形態では、外部装置は、スマートフォン、ＰＣ、他のデジタルカメラ等の撮影装置、或いはサーバでもよく、通信はＮＦＣ、公衆回線等他の無線通信でもよい。
【０１２９】
また、上述の実施形態では、自動送信機能を持たず、外部装置に付加情報を送信するように指示し、受信される付加情報を、自装置で撮影情報に付加する機能のみとするように構成してもよい。
【０１３０】
また、上述の実施形態では、外部装置から自装置に付加情報を送信する場合は、ＢＬＥを使用するようにしているが、Ｗｉ−Ｆｉを使用するようにしてもよい。
【０１３１】
また、上述の実施形態では、外部装置の取得する付加情報は、１種類でなくてもよく、撮影指示時点での撮影状況等に応じて、取得すべき付加情報の種類も指示情報に追加するように構成してもよい。
【０１３２】
また、上述の実施形態では、付加情報を取得する指示情報の送信と撮影画像の送信とはタイミングがずれていてもよいので、１系統の通信（例えば、Ｗｉ−Ｆｉのみ）で指示情報の送信と撮影画像の送信を時系列に行ってもよい。
【０１３３】
また、上述の実施形態では、識別情報は、撮影画像が識別可能であればどういう情報でもよく、外部装置が指示情報の受信時点での日時情報を記憶しておき、後から受信する撮影画像の日時情報と比較してもよい。
【０１３４】
また、上述の実施形態では、撮影装置１側で編集（リサイズやトリミング）し、送信された画像であっても、位置情報が付加される。即ち、編集された画像でも元画像と同じ撮影時刻を保持することで、位置情報の付加が可能となる。
【０１３５】
また、上述の実施形態では、撮影処理を契機にして位置情報を取得するように構成したが、位置情報を撮影とは関係なく別途取得しておき、画像の撮影時刻と、位置情報を取得した時刻が合致した位置情報を画像の位置情報として付加するように構成してもよい。
【０１３６】
また、上述の実施形態では、静止画像だけではなく、動画像に対しても適用することができる。
【０１３７】
また、上述の実施形態では、本発明が適用される撮像装置１は、デジタルカメラを例として説明したが、特にこれに限定されない。
例えば、本発明は、情報付加処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１３８】
上述した一連の処理は、ハードウェアにより実行させることもできるし、ソフトウェアにより実行させることもできる。
換言すると、図４、図５、図９及び図１０の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図４、図５、図９及び図１０の例に限定されない。
また、１つの機能ブロックは、ハードウェア単体で構成してもよいし、ソフトウェア単体で構成してもよいし、それらの組み合わせで構成してもよい。
【０１３９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１４０】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【０１４１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１４２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１４３】
以下に、本願の出願当初の特許請求の範囲に記載された発明を付記する。
［付記１］
撮像手段により撮像される画像を取得して、撮影画像を生成する撮影手段と、
前記撮影手段により生成される前記撮影画像を情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に撮影画像生成時における前記付加情報を取得するように、前記指示情報を前記情報取得装置に送信させる制御を行う制御手段と、
を備えることを特徴とする撮影装置。
［付記２］
前記指示情報には、前記情報取得装置が取得する前記付加情報を、当該情報取得装置が前記撮影画像に付加する指示が更に含まれ、
前記制御手段は、前記撮影指示を契機として、前記画像送信手段に、前記撮影手段により生成される前記撮影画像を前記情報取得装置に送信させ、前記指示情報送信手段に、前記画像送信手段により送信される前記撮影画像に付加する前記付加情報を取得し、当該送信される前記撮影画像に、取得する前記付加情報を付加するように、前記指示情報を前記情報取得装置に送信させる制御を行う、
ことを特徴とする付記１に記載の撮影装置。
［付記３］
前記指示情報送信手段は、前記画像送信手段により送信される前記撮影画像を識別可能とする識別情報を前記情報取得装置に更に送信し、
前記制御手段は、前記撮影指示を契機として、前記指示情報送信手段に、前記識別情報を前記情報取得装置に更に送信させる制御を行う、
ことを特徴とする付記２に記載の撮影装置。
［付記４］
前記指示情報には、前記情報取得装置が取得する前記付加情報を、当該撮影装置に送信する指示が更に含まれ、
前記制御手段は、前記撮影指示を契機として、前記指示情報送信手段に、取得する前記付加情報を当該撮影装置に送信するように、前記指示情報を前記情報取得装置に更に送信させる制御を行う、
ことを特徴とする付記２又は３に記載の撮影装置。
［付記５］
前記画像送信手段が、前記撮影手段により生成される前記撮影画像を前記情報取得装置に自動で送信するか否かを設定する設定手段を、更に備え、
前記制御手段は、前記撮影指示を契機として、前記設定手段により自動で送信する設定となっている場合に、前記画像送信手段に前記撮影手段により撮影される前記撮影画像を前記情報取得装置に送信させ、前記指示情報送信手段に、送信される前記撮影画像に付加する前記付加情報を取得し、当該撮影画像に取得する前記付加情報を付加するように、前記指示情報を前記情報取得装置に送信させる制御を行う一方、自動で送信する設定となっていない場合に、前記指示情報送信手段に、前記画像送信手段により送信される前記撮影画像に付加する前記付加情報を取得し、取得する前記付加情報を当該撮影装置に送信するように、前記指示情報を前記情報取得装置に送信させる制御を行う、
ことを特徴とする付記２乃至４の何れか１つに記載の撮影装置。
［付記６］
前記指示情報には、前記情報取得装置が取得する前記付加情報の種類が更に含まれ、
前記制御手段は、前記撮影指示を契機として、前記指示情報送信手段に、指定する種類の前記付加情報を取得するように、前記指示情報を前記情報取得装置に更に送信させる制御を行う、
ことを特徴とする付記２乃至５の何れか１つに記載の撮影装置。
［付記７］
前記指示情報送信手段は、前記指示情報として、前記撮影手段により撮影画像生成時の時刻情報である撮影時刻を送信する、
ことを特徴とする付記１乃至６の何れか１つに記載の撮影装置。
［付記８］
前記撮影手段は、生成する前記撮影画像に撮影時刻を、更に付加し、
前記指示情報送信手段は、前記撮影時刻を前記指示情報とともに、前記画像送信手段により送信される前記撮影画像を識別すための識別情報として、前記情報取得装置に送信する、
ことを特徴とする付記７に記載の撮影装置。
［付記９］
前記指示情報送信手段により送信される前記指示情報は、前記画像送信手段により送信される前記撮影画像より先に、前記情報取得装置により取得される、
ことを特徴とする付記１乃至８の何れか１つに記載の撮影装置。
［付記１０］
前記情報取得装置のセンサによって取得される情報は、位置情報である、
ことを特徴とする付記１乃至９の何れか１つに記載の撮影装置。
［付記１１］
前記画像送信手段は、通信媒体としてＷｉ−Ｆｉを介して、前記撮影画像を送信し、
前記指示情報送信手段は、通信媒体としてＢＬＥ（Ｂｌｕｅｔｏｏｔｈ  ｌｏｗ  ｅｎｅｒｇｙ）を介して、前記指示情報を送信する、
ことを特徴とする付記１乃至１０の何れか１つに記載の撮影装置。
［付記１２］
センサを備える情報取得装置であって、
撮影装置から送信される撮影画像情報を受信する画像受信手段と、
前記撮影装置から送信される指示情報であって、前記画像受信手段により受信される撮影画像に付加するための付加情報を取得する当該指示情報を受信する指示情報受信手段と、
前記指示情報受信手段により受信される前記指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、
を備えることを特徴とする情報取得装置。
［付記１３］
前記指示情報受信手段は、前記撮影装置から送信される撮影画像生成時の時刻情報である撮影時刻を前記指示情報として受信し、
前記情報取得手段は、前記撮影装置から送信される前記撮影時刻を受信することに応じて、前記付加情報を前記センサにより取得する、
ことを特徴とする付記１２に記載の情報取得装置。
［付記１４］
前記指示情報受信手段は、前記撮影装置から送信される前記撮影時刻を、更に前記画像受信手段により受信される前記撮影画像を識別するための識別情報として受信し、
前記情報付加手段は、前記画像受信手段により受信される前記撮影画像に付加されている撮影時刻と、前記指示情報受信手段により受信される前記識別情報としての撮影時刻とを照合することで、前記情報取得手段により取得される前記付加情報を付加する前記撮影画像を識別する。
ことを特徴とする付記１３に記載の情報取得装置。
［付記１５］
前記指示情報受信手段により受信される前記識別情報としての撮影時刻と、前記情報取得手段により取得される前記付加情報と、を対応付けて複数記憶する対応情報記憶手段を更に備え、
前記情報付加手段は、前記画像受信手段により受信される前記撮影画像に付加されている撮影時刻と、前記対応情報記憶手段により記憶されている前記識別情報としての撮影時刻とを照合することで、対応付けて記憶されている前記付加情報を付加する前記撮影画像を識別する、
ことを特徴とする付記１４に記載の情報取得装置。
［付記１６］
前記対応情報記憶手段は、指示情報受信手段により受信される前記識別情報としての撮影時刻が、記憶している前記撮影時刻と一致する場合は、対応付ける付加情報を、新たに前記情報取得手段により取得される付加情報に更新する、
ことを特徴とする付記１５に記載の情報取得装置。
［付記１７］
前記指示情報受信手段により受信される前記指示情報は、前記画像受信手段により受信される前記撮影画像より先に取得される、
ことを特徴とする付記１２乃至１６の何れか１つに記載の情報取得装置。
［付記１８］
前記情報取得手段がセンサにより取得する情報は、位置情報である、
ことを特徴とする付記１２乃至１７の何れか１つに記載の情報取得装置。
［付記１９］
前記画像受信手段は、通信媒体としてＷｉ−Ｆｉを介して、前記撮影画像を受信し、
前記指示情報受信手段は、通信媒体としてＢＬＥを介して、前記指示情報を受信する、
ことを特徴とする付記１２乃至１８の何れか１つに記載の情報取得装置。
［付記２０］
撮影装置と、センサを有する情報取得装置と、を備える情報取得システムであって、
前記撮影装置は、
撮像手段により撮像される画像を取得して、撮影画像を生成する撮影手段と、
前記撮影手段により生成される前記撮影画像を前記情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に撮影画像生成時における前記付加情報を取得するように、前記指示情報を前記情報取得装置に送信させる制御を行う制御手段と、を有し、
前記情報取得装置は、
前記撮影装置から送信される前記指示情報を受信する画像受信手段と、
前記撮影装置から送信される指示情報であって、前記画像受信手段により受信される前記付加情報を取得する指示情報を受信する指示情報受信手段と、
前記指示情報受信手段により受信される指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、を有する、
ことを特徴とする情報取得システム。
［付記２１］
情報取得手段がセンサにより取得する情報は、位置情報である、
ことを特徴とする付記２０に記載の情報取得システム。
［付記２２］
画像送信手段と画像受信手段とは、通信媒体としてＷｉ−Ｆｉを介して、撮影画像を送受信し、
指示情報送信手段と指示情報受信手段とは、通信媒体としてＢＬＥを介して、指示情報を送受信する、
ことを特徴とする付記２０又は２１に記載の情報取得システム。
［付記２３］
撮像手段により撮像される画像を取得して、撮影画像を生成する撮影処理と、
前記撮影処理により生成される前記撮影画像を情報取得装置に送信する画像送信処理と、
前記情報取得装置のセンサによって取得される情報であって、前記画像送信処理により送信される前記撮影画像に付加するための付加情報を取得するように、指示情報を当該情報取得装置に送信する指示情報送信処理と、
撮影指示を契機として、前記撮影処理に前記撮影画像を生成させ、前記画像送信処理にその撮影される前記撮影画像を送信させるとともに、前記指示情報送信処理に撮影画像生成時における前記付加情報を取得するように、前記指示情報を前記情報取得装置に送信させる制御を行う制御処理と、
を含むことを特徴とする送信制御方法。
［付記２４］
センサを備える情報取得装置で実行される情報取得方法あって、
撮影装置から送信される撮影画像情報を受信する画像受信処理と、
撮影装置から送信される指示情報であって、画像受信処理により受信される撮影画像に付加するための付加情報を取得する指示情報を受信する指示情報受信処理と、
指示情報受信処理により受信される指示情報に応じて、付加情報をセンサにより取得する情報取得処理と、
画像受信処理により受信される撮影画像に、情報取得処理により取得される付加情報を付加する処理を行う情報付加処理と、
を含むことを特徴とする情報取得方法。
［付記２５］
コンピュータに、
撮像手段により撮像される画像を取得して、撮影画像を生成する撮影機能と、
前記撮影機能により生成される前記撮影画像を情報取得装置に送信する画像送信機能と、
前記情報取得装置のセンサによって取得される情報であって、前記画像送信機能により送信される前記撮影画像に付加するための付加情報を取得するように、指示情報を当該情報取得装置に送信する指示情報送信機能と、
撮影指示を契機として、前記撮影機能に前記撮影画像を生成させ、前記画像送信機能にその撮影される前記撮影画像を送信させるとともに、前記指示情報送信機能に撮影画像生成時における前記付加情報を取得するように、前記指示情報を前記情報取得装置に送信させる制御を行う制御機能と、
を実現させることを特徴とするプログラム。
［付記２６］
センサを備える情報取得装置を制御するコンピュータに、
撮影装置から送信される撮影画像情報を受信する画像受信機能と、
撮影装置から送信される指示情報であって、画像受信機能により受信される撮影画像に付加するための付加情報を取得する指示情報を受信する指示情報受信機能と、
指示情報受信機能により受信される指示情報に応じて、付加情報をセンサにより取得する情報取得機能と、
画像受信機能により受信される撮影画像に、情報取得機能により取得される付加情報を付加する機能を行う情報付加機能と、
を実現させることを特徴とするプログラム。
【符号の説明】
【０１４４】
１・・・撮像装置，２・・・携帯端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，２３・・・ＧＰＳ部，２４・・・センサ部，３１・・・リムーバブルメディア，５１・・・自動送信設定部，５２・・・撮像制御部，５３・・・通信制御部，５４・・・情報付加部，５５・・・時刻取得部，７１・・・画像記憶部，９１・・・自動送信管理部，９２・・・通信制御部，９３・・・アプリケーション管理部，９４・・・情報取得部，９５・・・情報付加部，９６・・・情報照合部，１１１・・・画像記憶部，１１２・・・位置情報リスト記憶部，Ｓ・・・情報付加システム
【図１】
2017005679.tif 000003
【図２】
2017005679.tif 000004
【図４】
2017005679.tif 000005
【図５】
2017005679.tif 000006
【図６】
2017005679.tif 000007
【図７】
2017005679.tif 000008
【図８】
2017005679.tif 000009
【図９】
2017005679.tif 000010
【図１０】
2017005679.tif 000011
【図１１】
2017005679.tif 000012
【図１２】
2017005679.tif 000013
【図３】
2017005679.tif 000014
【手続補正書】
【提出日】平成28年9月21日(2016.9.21)
【手続補正１】
【補正対象書類名】明細書
【補正対象項目名】０００６
【補正方法】変更
【補正の内容】
【０００６】
上記目的を達成するため、本発明の一態様の撮影装置は、
撮像手段により撮像される画像を取得して、撮影画像を生成する撮影手段と、
前記撮影手段により生成される前記撮影画像を情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に前記付加情報を取得するように、前記指示情報を前記情報取得装置に送信させる制御を行う制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
撮像手段により撮像される画像を取得して、撮影画像を生成する撮影手段と、
前記撮影手段により生成される前記撮影画像を情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に前記付加情報を取得するように、前記指示情報を前記情報取得装置に送信させる制御を行う制御手段と、
を備えることを特徴とする撮影装置。
【請求項２】
前記指示情報には、前記情報取得装置が取得する前記付加情報を、当該情報取得装置が前記撮影画像に付加する指示が更に含まれ、
前記制御手段は、前記撮影指示を契機として、前記画像送信手段に、前記撮影手段により生成される前記撮影画像を前記情報取得装置に送信させ、前記指示情報送信手段に、前記画像送信手段により送信される前記撮影画像に付加する前記付加情報を取得し、当該送信される前記撮影画像に、取得する前記付加情報を付加するように、前記指示情報を前記情報取得装置に送信させる制御を行う、
ことを特徴とする請求項１に記載の撮影装置。
【請求項３】
前記指示情報送信手段は、前記画像送信手段により送信される前記撮影画像を識別可能とする識別情報を前記情報取得装置に更に送信し、
前記制御手段は、前記撮影指示を契機として、前記指示情報送信手段に、前記識別情報を前記情報取得装置に更に送信させる制御を行う、
ことを特徴とする請求項２に記載の撮影装置。
【請求項４】
前記指示情報には、前記情報取得装置が取得する前記付加情報を、当該撮影装置に送信する指示が更に含まれ、
前記制御手段は、前記撮影指示を契機として、前記指示情報送信手段に、取得する前記付加情報を当該撮影装置に送信するように、前記指示情報を前記情報取得装置に更に送信させる制御を行う、
ことを特徴とする請求項２又は３に記載の撮影装置。
【請求項５】
前記画像送信手段が、前記撮影手段により生成される前記撮影画像を前記情報取得装置に自動で送信するか否かを設定する設定手段を、更に備え、
前記制御手段は、前記撮影指示を契機として、前記設定手段により自動で送信する設定となっている場合に、前記画像送信手段に前記撮影手段により撮影される前記撮影画像を前記情報取得装置に送信させ、前記指示情報送信手段に、送信される前記撮影画像に付加する前記付加情報を取得し、当該撮影画像に取得する前記付加情報を付加するように、前記指示情報を前記情報取得装置に送信させる制御を行う一方、自動で送信する設定となっていない場合に、前記指示情報送信手段に、前記画像送信手段により送信される前記撮影画像に付加する前記付加情報を取得し、取得する前記付加情報を当該撮影装置に送信するように指示する指示情報であって、前記指示情報とは異なる指示情報を前記情報取得装置に送信させる制御を行う、
ことを特徴とする請求項２乃至４の何れか１項に記載の撮影装置。
【請求項６】
前記指示情報には、前記情報取得装置が取得する前記付加情報の種類が更に含まれ、
前記制御手段は、前記撮影指示を契機として、前記指示情報送信手段に、指定する種類の前記付加情報を取得するように、前記指示情報を前記情報取得装置に更に送信させる制御を行う、
ことを特徴とする請求項２乃至５の何れか１項に記載の撮影装置。
【請求項７】
前記指示情報送信手段は、前記指示情報として、前記撮影手段により撮影画像生成時の時刻情報である撮影時刻を送信する、
ことを特徴とする請求項１乃至６の何れか１項に記載の撮影装置。
【請求項８】
前記撮影手段は、生成する前記撮影画像に撮影時刻を、更に付加し、
前記指示情報送信手段は、前記撮影時刻を前記指示情報とともに、前記画像送信手段により送信される前記撮影画像を識別すための識別情報として、前記情報取得装置に送信する、
ことを特徴とする請求項３に記載の撮影装置。
【請求項９】
前記指示情報送信手段により送信される前記指示情報は、前記画像送信手段により送信される前記撮影画像より先に、前記情報取得装置により取得される、
ことを特徴とする請求項１乃至８の何れか１項に記載の撮影装置。
【請求項１０】
前記情報取得装置のセンサによって取得される情報は、位置情報である、
ことを特徴とする請求項１乃至９の何れか１項に記載の撮影装置。
【請求項１１】
前記画像送信手段は、高速である通信媒体を介して、前記撮影画像を送信し、
前記指示情報送信手段は、低消費電力である通信媒体を介して、前記指示情報を送信する、
ことを特徴とする請求項１乃至１０の何れか１項に記載の撮影装置。
【請求項１２】
センサを備える情報取得装置であって、
撮影装置から送信される撮影画像情報を受信する画像受信手段と、
前記撮影装置から送信される指示情報であって、前記画像受信手段により受信される撮影画像に付加するための付加情報を取得する当該指示情報を受信する指示情報受信手段と、
前記指示情報受信手段により受信される前記指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、
を備えることを特徴とする情報取得装置。
【請求項１３】
前記指示情報受信手段は、前記撮影装置から送信される撮影画像生成時の時刻情報である撮影時刻を前記指示情報として受信し、
前記情報取得手段は、前記撮影装置から送信される前記撮影時刻を受信することに応じて、前記付加情報を前記センサにより取得する、
ことを特徴とする請求項１２に記載の情報取得装置。
【請求項１４】
前記指示情報受信手段は、前記撮影装置から送信される前記撮影時刻を、更に前記画像受信手段により受信される前記撮影画像を識別するための識別情報として受信し、
前記情報付加手段は、前記画像受信手段により受信される前記撮影画像に付加されている撮影時刻と、前記指示情報受信手段により受信される前記識別情報としての撮影時刻とを照合することで、前記情報取得手段により取得される前記付加情報を付加する前記撮影画像を識別する。
ことを特徴とする請求項１３に記載の情報取得装置。
【請求項１５】
前記指示情報受信手段により受信される前記識別情報としての撮影時刻と、前記情報取得手段により取得される前記付加情報と、を対応付けて複数記憶する対応情報記憶手段を更に備え、
前記情報付加手段は、前記画像受信手段により受信される前記撮影画像に付加されている撮影時刻と、前記対応情報記憶手段により記憶されている前記識別情報としての撮影時刻とを照合することで、対応付けて記憶されている前記付加情報を付加する前記撮影画像を識別する、
ことを特徴とする請求項１４に記載の情報取得装置。
【請求項１６】
前記対応情報記憶手段は、指示情報受信手段により受信される前記識別情報としての撮影時刻が、記憶している前記撮影時刻と一致する場合は、対応付ける付加情報を、新たに前記情報取得手段により取得される付加情報に更新する、
ことを特徴とする請求項１５に記載の情報取得装置。
【請求項１７】
前記指示情報受信手段により受信される前記指示情報は、前記画像受信手段により受信される前記撮影画像より先に取得される、
ことを特徴とする請求項１２乃至１６の何れか１項に記載の情報取得装置。
【請求項１８】
前記情報取得手段がセンサにより取得する情報は、位置情報である、
ことを特徴とする請求項１２乃至１７の何れか１項に記載の情報取得装置。
【請求項１９】
前記画像受信手段は、高速である通信媒体を介して、前記撮影画像を受信し、
前記指示情報受信手段は、低消費電力である通信媒体を介して、前記指示情報を受信する、
ことを特徴とする請求項１２乃至１８の何れか１項に記載の情報取得装置。
【請求項２０】
撮影装置と、センサを有する情報取得装置と、を備える情報取得システムであって、
前記撮影装置は、
撮像手段により撮像される画像を取得して、撮影画像を生成する撮影手段と、
前記撮影手段により生成される前記撮影画像を前記情報取得装置に送信する画像送信手段と、
前記情報取得装置のセンサによって取得される情報であって、前記画像送信手段により送信される前記撮影画像に付加するための付加情報を取得するように、指示情報を当該情報取得装置に送信する指示情報送信手段と、
撮影指示を契機として、前記撮影手段に前記撮影画像を生成させ、前記画像送信手段にその撮影される前記撮影画像を送信させるとともに、前記指示情報送信手段に前記付加情報を取得するように、前記指示情報を前記情報取得装置に送信させる制御を行う制御手段と、を有し、
前記情報取得装置は、
前記撮影装置から送信される前記指示情報を受信する画像受信手段と、
前記撮影装置から送信される指示情報であって、前記画像受信手段により受信される前記付加情報を取得する指示情報を受信する指示情報受信手段と、
前記指示情報受信手段により受信される指示情報に応じて、前記付加情報を前記センサにより取得する情報取得手段と、
前記画像受信手段により受信される前記撮影画像に、前記情報取得手段により取得される前記付加情報を付加する処理を行う情報付加手段と、を有する、
ことを特徴とする情報取得システム。
【請求項２１】
情報取得手段がセンサにより取得する情報は、位置情報である、
ことを特徴とする請求項２０に記載の情報取得システム。
【請求項２２】
画像送信手段と画像受信手段とは、高速である通信媒体を介して、撮影画像を送受信し、
指示情報送信手段と指示情報受信手段とは、低消費電力である通信媒体を介して、指示情報を送受信する、
ことを特徴とする請求項２０又は２１に記載の情報取得システム。
【請求項２３】
撮像手段により撮像される画像を取得して、撮影画像を生成する撮影処理と、
前記撮影処理により生成される前記撮影画像を情報取得装置に送信する画像送信処理と、
前記情報取得装置のセンサによって取得される情報であって、前記画像送信処理により送信される前記撮影画像に付加するための付加情報を取得するように、指示情報を当該情報取得装置に送信する指示情報送信処理と、
撮影指示を契機として、前記撮影処理に前記撮影画像を生成させ、前記画像送信処理にその撮影される前記撮影画像を送信させるとともに、前記指示情報送信処理において前記付加情報を取得するように、前記指示情報を前記情報取得装置に送信させる制御を行う制御処理と、
を含むことを特徴とする送信制御方法。
【請求項２４】
センサを備える情報取得装置で実行される情報取得方法あって、
撮影装置から送信される撮影画像情報を受信する画像受信処理と、
撮影装置から送信される指示情報であって、画像受信処理により受信される撮影画像に付加するための付加情報を取得する指示情報を受信する指示情報受信処理と、
指示情報受信処理により受信される指示情報に応じて、付加情報をセンサにより取得する情報取得処理と、
画像受信処理により受信される撮影画像に、情報取得処理により取得される付加情報を付加する処理を行う情報付加処理と、
を含むことを特徴とする情報取得方法。
【請求項２５】
コンピュータに、
撮像手段により撮像される画像を取得して、撮影画像を生成する撮影機能と、
前記撮影機能により生成される前記撮影画像を情報取得装置に送信する画像送信機能と、
前記情報取得装置のセンサによって取得される情報であって、前記画像送信機能により送信される前記撮影画像に付加するための付加情報を取得するように、指示情報を当該情報取得装置に送信する指示情報送信機能と、
撮影指示を契機として、前記撮影機能に前記撮影画像を生成させ、前記画像送信機能にその撮影される前記撮影画像を送信させるとともに、前記指示情報送信機能に前記付加情報を取得するように、前記指示情報を前記情報取得装置に送信させる制御を行う制御機能と、
を実現させることを特徴とするプログラム。
【請求項２６】
センサを備える情報取得装置を制御するコンピュータに、
撮影装置から送信される撮影画像情報を受信する画像受信機能と、
撮影装置から送信される指示情報であって、画像受信機能により受信される撮影画像に付加するための付加情報を取得する指示情報を受信する指示情報受信機能と、
指示情報受信機能により受信される指示情報に応じて、付加情報をセンサにより取得する情報取得機能と、
画像受信機能により受信される撮影画像に、情報取得機能により取得される付加情報を付加する機能を行う情報付加機能と、
を実現させることを特徴とするプログラム。